(57)【要約】【課題】電源制御モジュール（電源制御回路）に動作保証範囲内の電圧が供給されている場合には、常に当該電源制御回路のステータスを保持することを可能とする。【解決手段】主電源５０と電源回路３２との間に配置されたスイッチ部３１のオン／オフを制御することにより、電源回路３２経由で負荷に対する主電源５０からの電圧の供給／遮断を制御する電源制御部３４０と、蓄電池３３ｂから供給される電圧により動作する待機状態において、蓄電池３３ｂから供給される供給電圧の値が、予め設定されているリセット閾値（電源制御回路３４の動作保証範囲の最低電圧値と同一の値）以下になったか否かを判定する電圧判定部３５１と、電圧判定部３５１により供給電圧の値がリセット閾値以下であると判定された場合に、ステータス保持部３６０が保持しているステータスをクリアするリセット処理を実行するリセット実行部３５２とを備える。【選択図】図１
2011250465.tif 000002
【特許請求の範囲】
【請求項１】
電源制御モジュールであって、
前記電源制御モジュールの状態情報を示すステータスを保持する記憶手段と、
待機状態において主電源と電源回路との間に配置されたスイッチ手段がオフされているときに蓄電手段から供給される電圧により電源オン／オフの信号を待ち受ける動作を行い、前記信号に基づいて前記スイッチ手段のオン／オフを制御することにより、前記電源回路経由での負荷への前記主電源からの電圧の供給／遮断を制御する電源制御手段と、
前記スイッチ手段がオンされて前記主電源から供給される電圧が所定範囲外から前記所定範囲内になった場合に、前記記憶手段が保持しているステータスをクリアするリセット処理を実行し、前記待機状態において蓄電手段から供給される電圧が前記所定範囲内の電圧である場合に、前記スイッチ手段がオンされると前記記憶手段が保持しているステータスを保持したままとするリセット制御手段と、
を備える電源制御モジュール。
【請求項２】
前記リセット制御手段は、前記待機状態において蓄電手段から供給される電圧が前記所定範囲外の電圧になる場合に前記記憶手段が保持しているステータスをクリアするリセット処理を実行する、請求項１に記載の電源制御モジュール。
【請求項３】
前記所定範囲が電源制御モジュールの動作保障範囲である、請求項１又は２に記載の電源制御モジュール。
【請求項４】
前記電源オン／オフの信号は、外部のリモコン装置からの制御信号である、請求項１〜３のいずれか一項に記載の電源制御モジュール。
【請求項５】
前記電源制御手段は、前記待機状態において蓄電手段から供給される電圧が充電閾値以下になった場合に、前記スイッチ手段をオンにする、請求項１〜４のいずれか一項に記載の電源制御モジュール。
【請求項６】
電源制御モジュールを備えた電子機器であって、
前記電源制御モジュールは、
前記電源制御モジュールの状態情報を示すステータスを保持する記憶手段と、
待機状態において主電源と電源回路との間に配置されたスイッチ手段がオフされているときに蓄電手段から供給される電圧により電源オン／オフの信号を待ち受ける動作を行い、前記信号に基づいて前記スイッチ手段のオン／オフを制御することにより、前記電源回路経由での負荷への前記主電源からの電圧の供給／遮断を制御する電源制御手段と、
前記スイッチ手段がオンされて前記主電源から供給される電圧が所定範囲外から前記所定範囲内になった場合に、前記記憶手段が保持しているステータスをクリアするリセット処理を実行し、前記待機状態において蓄電手段から供給される電圧が前記所定範囲内の電圧である場合に、前記スイッチ手段がオンされると前記記憶手段が保持しているステータスを保持したままとするリセット制御手段と、
を備える電子機器。
【請求項７】
前記リセット制御手段は、前記待機状態において蓄電手段から供給される電圧が前記所定範囲外の電圧になる場合に前記記憶手段が保持しているステータスをクリアするリセット処理を実行する、請求項６に記載の電子機器。
【請求項８】
前記所定範囲が電源制御モジュールの動作保障範囲である、請求項６又は７に記載の電子機器。
【請求項９】
前記電源オン／オフの信号は、外部のリモコン装置からの制御信号である、請求項６〜８のいずれか一項に記載の電子機器。
【請求項１０】
前記電源制御手段は、前記待機状態において蓄電手段から供給される電圧が充電閾値以下になった場合に、前記スイッチ手段をオンにする、請求項６〜９のいずれか一項に記載の電子機器。
【請求項１１】
電源制御モジュールで実行されるリセット制御方法であって、
前記電源制御モジュールは、当該電源制御モジュールの状態情報を示すステータスを保持する記憶手段を有し、
電源制御手段が、待機状態において主電源と電源回路との間に配置されたスイッチ手段がオフされているときに蓄電手段から供給される電圧により電源オン／オフの信号を待ち受ける動作を行い、前記信号に基づいて前記スイッチ手段のオン／オフを制御することにより、前記電源回路経由での負荷への前記主電源からの電圧の供給／遮断を制御する電源制御工程と、
リセット制御手段が、前記スイッチ手段がオンされて前記主電源から供給される電圧が所定範囲外から前記所定範囲内になった場合に、前記記憶手段が保持しているステータスをクリアするリセット処理を実行し、前記待機状態において蓄電手段から供給される電圧が前記所定範囲内の電圧である場合に、前記スイッチ手段がオンされると前記記憶手段が保持しているステータスを保持したままとするリセット制御工程と、
を含むリセット制御方法。
【請求項１２】
前記リセット制御工程は、前記待機状態において蓄電手段から供給される電圧が前記所定範囲外の電圧になる場合に前記記憶手段が保持しているステータスをクリアするリセット処理を実行する、請求項１１に記載のリセット制御方法。
【請求項１３】
前記所定範囲が電源制御モジュールの動作保障範囲である、請求項１１又は１２に記載のリセット制御方法。
【請求項１４】
前記電源オン／オフの信号は、外部のリモコン装置からの制御信号である、請求項１１〜１３のいずれか一項に記載のリセット制御方法。
【請求項１５】
前記電源制御工程は、前記待機状態において蓄電手段から供給される電圧が充電閾値以下になった場合に、前記スイッチ手段をオンにする、請求項１１〜１４のいずれか一項に記載のリセット制御方法。
【発明の詳細な説明】
【技術分野】
【０００１】
本発明は、電源制御モジュールのリセット制御技術に関する。
【背景技術】
【０００２】
従来、テレビジョン受信機などの電子機器においては、待機状態に待機電源となる蓄電池から供給される電圧により、リモコン装置からの電源オン／オフの制御信号を待ち受ける動作を行い、電源オンの制御信号を受信した場合に、主電源（家庭のコンセントなどの商用電源）からの電圧を、電源回路を介して電子機器の各負荷に供給するような電源制御を行う電源制御回路（電源制御モジュール）を備えたものが知られている。
【０００３】
そして、最近では、上記待機状態において主電源に接続されている電源回路の消費電圧を削減する目的で、主電源と電源回路との間に、復旧スイッチやラッチングリレーなどから構成されるスイッチ手段を設けた電子機器も提供されている（例えば、特許文献１参照）。
【０００４】
このような電子機器における電源制御回路においては、待機状態にスイッチ手段をオフにして蓄電池から供給される電圧により待機状態の処理動作を行うようになっているとともに、リモコン装置から電源オンの信号を受信した場合や、録画予約時間にタイマーから信号を受信した場合や、蓄電池の電圧が低くなってきた場合などにスイッチ手段をオンにして電源回路経由で主電源からの電圧が電子機器の各負荷（蓄電池、マイコン、映像表示部等）に供給されるようになっている。
【０００５】
ところで、この種の電源制御回路において、当該電源制御回路のステータス保持部が保持するステータスをクリアするリセット方法として、一般的なＬＳＩで採用されているパワーオンリセット方法を採用すると、上述のような電源制御回路を実装する電子機器においては、蓄電池が完全放電状態においてスイッチ手段がプラグなどを介して主電源に接続された場合や、リモコン装置から電源オンの信号を受信した場合や、録画予約時間にタイマーから信号を受信した場合、蓄電池の電圧が低くなってきた場合などにおいて電源制御回路がスイッチ手段をオンする度に、電源制御回路のステータス保持部に対してリセット信号が供給されて、それまで保持していたステータスがクリアされてしまう。
【０００６】
なお、上記ステータスとは、電源制御回路における状態情報を示すものであり、例えば、どのようなトリガによりラッチングリレーをオンしたのかを示す情報などがある。より具体的には、上記ステータスとしては、リモコン装置からの電源オンの信号を受信したことをトリガにしてラッチングリレーをオンしたことを示すステータスや、録画予約時間にタイマーから信号を受信したことをトリガにしてラッチングリレーをオンしたことを示すステータスや、蓄電池の電圧が低くなってきたことをトリガにしてラッチングリレーをオンしたことを示すステータスなどがある。
【先行技術文献】
【特許文献】
【０００７】
【特許文献１】特開２００１−８６５６８号公報
【発明の概要】
【発明が解決しようとする課題】
【０００８】
しかしながら、上述の電子機器にあっては、電子機器のマイコン（電源制御回路の上位の制御モジュール）側において、電源制御回路が保持しているステータスに基づいて処理制御を行うことがあるため、上述のようにリレー手段をオンする度に、電源制御回路が保持していたステータスがクリアされてしまうと、マイコン側で次にどのような処理制御を行えばよいのかを認識することができない虞がある。
【０００９】
具体的には、例えば、録画予約時間にタイマーから信号を受信したことをトリガにしてラッチングリレーをオンしたことを示すステータスが保持されていれば、マイコン側で次に録画処理を行えばよいことを認識して録画処理を実行できるが、上述のようなステータスがクリアされてしまっていると、マイコン側では次にどのような処理を行えばよいのかを認識できず、次の処理に進むことができなくなる虞がある。
【００１０】
即ち、従来の電源制御回路にあっては、一般的なＬＳＩで採用されているパワーオンリセット方法を採用すると、リレー手段をオンする度に、ステータス保持部が保持していたステータスがクリアされてしまっていたため、マイコン（上位の制御モジュール）などにおいて、ステータスに基づいた制御（タイマー録画など）を実行できないケースが発生する虞がある。
【００１１】
ここで、本出願人は、蓄電池が完全放電状態においてスイッチ手段がプラグなどを介して主電源に接続された場合や、プラグが抜かれてスイッチ手段と主電源との接続が解除されて蓄電池が完全放電状態になる場合など電源制御回路に供給される電圧が動作保証範囲外の電圧である場合にのみ電源制御回路のリセット処理を行い、他方、電源制御回路（電源制御モジュール）に動作保証範囲内の電圧が供給されている場合には、常に電源制御回路のステータスを保持していた方が得策であることに着眼した。
【００１２】
そこで、本発明は、上記課題に鑑みてなされたものであり、電源制御モジュール（電源制御回路）に動作保証範囲内の電圧が供給されている場合には、常に当該電源制御回路のステータスを保持することを可能にした電源制御モジュール、電子機器及びリセット制御方法を提供することを目的とする。
【課題を解決するための手段】
【００１３】
上述した課題を解決し、目的を達成するために、本発明の電源制御モジュールは、待機状態において主電源と電源回路との間に配置されたスイッチ手段がオフされているときに蓄電手段から供給される電圧により電源オン／オフの信号を待ち受ける動作を行い、前記信号に基づいて前記スイッチ手段のオン／オフを制御することにより、前記電源回路経由での負荷への前記主電源からの電圧の供給／遮断を制御する電源制御手段と、前記スイッチ手段がオンされて前記主電源から供給される電圧が所定範囲外から前記所定範囲内になった場合に、前記記憶手段が保持しているステータスをクリアするリセット処理を実行し、前記待機状態において蓄電手段から供給される電圧が前記所定範囲内の電圧である場合に、前記スイッチ手段がオンされると前記記憶手段が保持しているステータスを保持したままとするリセット制御手段と、を備える。
【発明の効果】
【００１４】
本発明によれば、蓄電手段が完全放電状態においてスイッチ手段が主電源に接続された場合や、スイッチ手段と主電源との接続が解除されて蓄電手段が完全放電状態になる場合などの電源制御モジュール（電源制御回路）に供給される電圧が動作保証範囲外の電圧である場合にのみ電源制御回路のリセット処理を行うように構成したため、電源制御モジュールに動作保証範囲内の電圧が供給されている場合には、スイッチ手段がオンされたとしても電源制御モジュールのリセット処理を行わないことから、常にステータスを保持することができる。また、これにより、ステータスがクリアされたことでマイコンなどの上位の制御モジュールがステータスに基づいた処理制御を行うことができない、などの従来の不都合を解消することができる。
【図面の簡単な説明】
【００１５】
【図１】図１は、本実施形態のテレビジョンシステムの構成、及び、テレビジョン受信機の機能構成を示すブロック図である。
【図２】図２は、電源制御回路の機能構成を示すブロック図である。
【図３】図３は、電源制御回路の動作電圧の一仕様例と、各種設定された閾値の一設定例を示す図である。
【図４】図４は、初期状態におけるリセット処理手順を示すフローチャートである。
【図５】図５は、図４のステップＳ１４におけるリセット処理の詳細な処理手順を示すフローチャートである。
【図６】図６は、待機状態におけるリセット処理手順を示すフローチャートである。
【図７】図７は、電源制御部におけるラッチングリレーのオン／オフ処理の手順を示すフローチャートである。
【発明を実施するための形態】
【００１６】
以下、本発明の実施形態について添付図面を参照して説明する。
【００１７】
なお、本発明は、主電源と電源回路との間に配置されたスイッチ手段のオン／オフを制御することにより、電源回路経由で負荷に対する主電源からの電圧の供給／遮断を制御する電源制御モジュール、その電源制御モジュールを備えた電子機器、及び、その電源制御モジュールにおけるリセット制御方法に適用されるものであるが、以下の実施形態では、テレビジョンシステムに本発明を適用した場合について説明する。
【００１８】
まず、本発明を適用したテレビジョンシステムの各種構成について説明する。
【００１９】
図１は、本実施形態のテレビジョンシステムの構成、及び、テレビジョン受信機の機能構成を示すブロック図である。
【００２０】
図１に示すように、このテレビジョンシステム１は、電波、ケーブル等を介して受信した信号に基づいて画像を再生する機能を有するテレビジョン受信機（電子機器）１０と、そのテレビジョン受信機１０の動作を離れたところから操作するためのリモコン装置２０とを主体に構成される。
【００２１】
本実施形態のテレビジョン受信機１０では、大きく分けて、電源制御システム３０と、内部負荷部４０とを主体に構成される。
【００２２】
この電源制御システム３０は、後述の映像表示部４２の液晶パネルで画像再生が行われておらず、リモコン装置２０からの電源オン／オフの制御信号を待ち受けたり、タイマー３６からの信号を待ち受ける待機状態において、後述の待機電源の蓄電池３３ｂから供給される電圧により待機状態の処理動作を行うものである。
【００２３】
なお、本実施形態の電源制御システム３０では、スイッチ部３１、電源回路３２、待機電源３３、電源制御回路（電源制御モジュール）３４、制御信号受信部３５、タイマー３６等を備えている。
【００２４】
ここで、スイッチ部３１は、主電源（家庭用のコンセントなどの商用電源）５０と電源回路３２との間に並列に接続された復旧スイッチ３１ａと、ラッチングリレー３１ｂとから構成されている。
【００２５】
なお、上記スイッチ部３１には、プラグなどの差込み器具のコードが接続されており、そのプラグが家庭用のコンセント（主電源５０）などに差し込まれることにより、主電源５０からの電圧がスイッチ部３１を介して電源回路３２、即ち、テレビジョン受信機１０の各負荷に供給されるようになっている。
【００２６】
復旧スイッチ３１ａは、蓄電池３３ｂが完全放電状態で、且つ、ラッチングリレー３１ｂがオフである状態（例えば、テレビジョン受信機１０が購入者宅に配送される際に、振動などでラッチングリレー３１ｂがオフにされてしまったような状態）時に、スイッチ部３１を主電源５０に接続した場合、主電源５０からの電圧が電源回路３２、即ち、各負荷に供給されるようにするためのものである。
【００２７】
ラッチングリレー３１ｂは、電源制御回路３４のオン／オフの制御によりスイッチがオン／オフされるリレー手段である。
【００２８】
電源回路３２は、主電源５０からの電圧を昇降圧し、整流、平滑等をしてテレビジョン受信機１０の内部回路に供給する直流電圧を出力するものである。
【００２９】
待機電源３３は、電源制御システム３０の待機状態の電圧を供給するためのものであり、例えば、充電器３３ａ、蓄電池３３ｂ等から構成されている。
【００３０】
充電器３３ａは、蓄電池３３ｂを充電するための充電手段であり、蓄電池３３ｂは、電荷を蓄える二次電池などの蓄電手段である。
【００３１】
電源制御回路３４は、主電源５０と電源回路３２との間に配置されたラッチングリレー３１ｂのオン／オフを制御することにより、電源回路３２経由で負荷（待機電源３３、内部負荷部４０等）に対する主電源５０からの電圧の供給／遮断を制御するとともに、本実施形態では、後述のリセット制御処理を実行するものでもある。
【００３２】
図２は、電源制御回路３４の機能構成を示すブロック図である。
【００３３】
図２に示すように、この電源制御回路３４は、電源制御部３４０と、リセット制御部３５０と、ステータス保持部（記憶手段）３６０とを主体に構成される。
【００３４】
電源制御部３４０は、操作信号入力部３４１、タイマー信号入力部３４２、充電池電圧監視部３４３、リレーオン／オフ部３４４等を備えている。
【００３５】
ここで、操作信号入力部３４１は、リモコン装置２０からの電源オン信号を入力した場合に、リレーオン／オフ部３４４に対してリレーオンを指示するオン信号を出力するとともに、リモコン装置２０からの電源オフ信号を入力した場合、テレビマイコン４１に電源オフ信号をスルーするものである。
【００３６】
タイマー信号入力部３４２は、タイマー３６からの電源オン信号を入力した場合に、リレーオン／オフ部３４４に対してリレーオンを指示するオン信号を出力するとともに、タイマー３６からの電源オフ信号を入力した場合、テレビマイコン４１に電源オフ信号をスルーするものである。
【００３７】
なお、テレビマイコン４１は、上記電源オフ信号を入力した場合、現在の状態を判定し、該判定の結果に基づいて、リレーオン／オフ部３４４に対してリレーオンを指示するための電源オフコマンドを電源制御回路３４に出力する。例えば、電源オフ信号を入力した場合に、録画予約がされていれば、テレビマイコン４１は、テレビマイコン４１が起動する起動時間を電源制御回路３４に設定するとともに、電源オフコマンドを電源制御回路３４に出力する。これにより、電源制御回路３４は、リレーオン／オフ部３４４がラッチングリレー３１ｂのスイッチをオフするとともに、タイマー３６に起動時間の計時動作を行わせるようにしても良い。
【００３８】
充電池電圧監視部３４３は、電源制御システム３０の待機状態に、蓄電池３３ｂから供給される電圧の値を監視して、蓄電池３３ｂの電圧が所定の充電閾値以下（又は未満）になった場合に、蓄電池３３ｂの充電を行うべく、リレーオン／オフ部３４４にリレーオンを指示するとともに、蓄電池３３ｂの電圧が所定の充電解除閾値以上（又は超え）になった場合に、蓄電池３３ｂの充電を終了すべく、リレーオン／オフ部３４４にリレーオフを指示するものであり、本実施形態では、閾値記憶部３４３ａ、比較判定部３４３ｂ等を備えている。
【００３９】
より具体的には、この充電池電圧監視部３４３は、電源制御システム３０の待機状態に、比較判定部３４３ｂが、電源制御回路３４に供給される電圧の値が、閾値記憶部３４３ａに記憶される充電閾値（図３（ｃ）の例では、２．８Ｖ）以下（又は未満）になったか否かを判定し、その判定の結果、充電閾値以下（又は未満）であると判定された場合に、リレーオン／オフ部３４４に対してリレーオンを指示するオン信号を出力する。
【００４０】
また、充電池電圧監視部３４３は、電源制御システム３０の待機状態に、リレーオン／オフ部３４４がラッチングリレー３１ｂのスイッチをオンしている状態で、比較判定部３４３ｂが、電源制御回路３４に供給される電圧の値が、閾値記憶部３４３ａに記憶される充電解除閾値（不図示）以上（又は超え）になったか否かを判定し、その判定の結果、充電解除閾値以上（又は超え）であると判定された場合に、リレーオン／オフ部３４４に対してリレーオフを指示するオフ信号を出力する。
【００４１】
リレーオン／オフ部３４４は、操作信号入力部３４１、タイマー信号入力部３４２、充電池電圧監視部３４３からオン信号を入力した場合に、ラッチングリレー３１ｂのスイッチをオンするとともに、テレビマイコン４１からの電源オフコマンドを入力した場合や、充電池電圧監視部３４３からオフ信号を入力した場合に、ラッチングリレー３１ｂのスイッチをオフするものである。
【００４２】
リセット制御部３５０は、後述の図５に示すような初期状態におけるリセット処理を実行するとともに、後述の図６に示すような待機状態におけるリセット処理を実行するものであり、本実施形態では、電圧判定部３５１、リセット実行部３５２等を備えている。
【００４３】
ここで、電圧判定部３５１は、蓄電池３３ｂが完全放電状態で、スイッチ部３１が主電源５０に接続され、復旧スイッチ３１ａが押下されて、電源回路３２を介して各負荷（待機電源３３、内部負荷部４０等）に電圧が供給された場合（初期状態）に、電源制御回路３４に供給される電圧の値（供給電圧値）を監視するとともに、電源制御システム３０の待機状態に、蓄電池３３ｂから供給される電圧の値（供給電圧値）を監視するものであり、リセット閾値記憶部３５１ａ、比較判定部３５１ｂ等を備えている。
【００４４】
より具体的には、この電圧判定部３５１は、上述の初期状態において、比較判定部３５１ｂが、供給電圧値が、リセット閾値記憶部３５１ａに記憶されるリセット閾値（図３（ｂ）の例では、２．７Ｖ）以上（又は超え）になったか否かを判定し、その判定の結果、リセット閾値以上（又は超え）であると判定された場合に、リセット実行部３５２にリセット実行を指示する実行信号を出力する。
【００４５】
また、この電圧判定部３５１は、上述の待機状態において、比較判定部３５１ｂが、供給電圧値が、リセット閾値記憶部３５１ａに記憶されるリセット閾値（図３（ｂ）の例では、２．７Ｖ）以下（又は未満）になったか否かを判定し、その判定の結果、リセット閾値以下（又は未満）であると判定された場合に、リセット実行部３５２にリセットを指示する信号を出力する。
【００４６】
リセット実行部３５２は、上述の初期状態及び待機状態において、電圧判定部３５１から実行信号を入力した場合、電源制御回路３４のステータス保持部３６０が保持するステータスをクリアする処理を実行する。
【００４７】
なお、本実施形態の電源制御回路３４は、ＩＣ（Ｉｎｔｅｇｒａｔｅｄ  Ｃｉｒｃｕｉｔ）やＬＳＩ（Ｌａｒｇｅ  Ｓｃａｌｅ  Ｉｎｔｅｇｒａｔｅｄ  Ｃｉｒｃｕｉｔ）などの電子回路を集積した集積回路で実現される。
【００４８】
図３は、電源制御回路３４の動作電圧の一仕様例と、各種設定された閾値の一設定例を示す図であり、図３（ａ）が、電源制御回路の動作電圧の一仕様例を示し、図３（ｂ）が、リセット閾値の一設定例を示す図であり、図３（ｃ）が、充電閾値の一設定例を示す図である。
【００４９】
図３（ａ）に示すように、本実施形態の電源制御回路３４は、正常な処理動作を行うのに最も適した理想的な電圧値が「３．０Ｖ」であり、正常な処理動作が保証される動作保証電圧値の範囲が「２．７Ｖ〜３．３Ｖ」であり、電源制御回路３４の内部回路の動作電圧値が「１．５Ｖ」であることを示している。
【００５０】
また、図３（ｂ）に示すように、上記リセット閾値記憶部３５１ａに記憶されているリセット閾値が「２．７Ｖ」、即ち、上述の動作保証電圧値の最低電圧値「２．７Ｖ」と同一の値となっている。これにより、初期状態のリセット処理においては、電源制御回路３４が動作可能な状態になった場合にリセット処理を実行することができ、また、待機状態のリセット処理においては、電源制御回路３４に動作保証範囲外の電圧が供給されそうになった場合にリセット処理を実行することができる。
【００５１】
更に、図３（ｃ）に示すように、上記閾値記憶部３４３ａに記憶されている充電閾値が「２．８Ｖ」、即ち、上述の最低電圧値「２．７Ｖ」を少し上回る電圧値となっている。これにより、蓄電池３３ｂが電源制御回路３４に対して動作保証範囲外の電圧が供給されそうになった場合に蓄電池３３ｂの充電を行うことができる。
【００５２】
図１に戻って、制御信号受信部３５は、リモコン装置２０から電源オンや、チャンネル、音量等を指示する各種制御信号を受信するものである。
【００５３】
タイマー３６は、録画予約、自動電源オン、自動電源オフ等の時間が経過した場合に信号を出力する計時手段である。
【００５４】
また、内部負荷部４０は、上記電源制御システム３０以外における負荷部を示しており、例えば、テレビジョン受信機１０のテレビマイコン４１、映像表示部４２等の一般的なテレビジョン受信機の負荷部と同等のものを備えている。
【００５５】
次に、上記説明したテレビジョンシステム１における各種処理動作について説明する。
【００５６】
図４は、上述の初期状態におけるリセット処理手順を示すフローチャートである。
【００５７】
図４に示すように、このテレビジョンシステム１では、例えば、このテレビジョンシステム１が購入者宅に納入されて蓄電池３３ｂが完全放電状態の場合や、既に納入済みであるがテレビジョン受信機１０のプラグが長い間主電源５０から抜かれていて蓄電池３３ｂが完全放電状態になっていた場合などにおいて（ステップＳ１０）、購入者などの操作者がプラグを主電源５０に接続し（ステップＳ１１）、続いて、復旧スイッチ３１ａを押下すると（ステップＳ１２）、テレビジョン受信機１０の各負荷（待機電源３３、内部負荷部４０等）に電源回路３２経由で主電源５０からの電圧が供給される（ステップＳ１３）。
【００５８】
続いて、ステップＳ１４において、リセット制御部３５０が、初期状態における電源制御回路３４のリセット処理を実行する。
【００５９】
図５は、上記ステップＳ１４のリセット処理の詳細な処理手順を示すフローチャートである。
【００６０】
図５に示すように、初期状態における電圧監視状態においては、ステップＳ２１及びステップＳ２２において、電圧判定部３５１の比較判定部３５１ｂが、電圧判定処理を行う。
【００６１】
具体的には、上記ステップＳ２１の処理では、比較判定部３５１ｂが、電源制御回路３４に供給される電圧の値（供給電圧値）が、リセット閾値（２．７Ｖ）以上（又は超え）であるか否かを判定する。
【００６２】
そして、その比較判定の結果、供給電圧値が、リセット閾値以上（又は超え）であると判定されると（ステップＳ２２：ＹＥＳ）、比較判定部３５１ｂが、リセット実行部３５２に対してリセットを指示する実行信号を出力する。
【００６３】
続いて、ステップＳ２３において、リセット実行部３５２が、上記実行信号を入力すると、リセット処理を実行する。即ち、電源制御回路３４の内部回路に対してリセット信号を供給する。これにより、内部回路が保持するステータスがクリアされる。
【００６４】
その後、図４に戻って、ステップＳ１５において、電源制御回路３４では、電源制御システム３０における待機状態の処理が行われる。
【００６５】
図６は、上述の待機状態におけるリセット処理手順を示すフローチャートである。
【００６６】
図６に示すように、待機状態における電圧監視状態においては、ステップＳ３１及びステップＳ３２において、電圧判定部３５１の比較判定部３５１ｂが、電圧判定処理を行う。
【００６７】
具体的には、上記ステップＳ３１では、比較判定部３５１ｂが、電源制御回路３４に供給される電圧の値（供給電圧値）が、リセット閾値（２．７Ｖ）以下（又は未満）であるか否かを判定する。
【００６８】
そして、その比較判定の結果、供給電圧が、リセット閾値以下（又は未満）であると判定されると（ステップＳ３２：ＹＥＳ）、比較判定部３５１ｂが、リセット実行部３５２に対してリセットを指示する実行信号を出力する。
【００６９】
続いて、ステップＳ３３において、リセット実行部３５２が、上記実行信号を入力すると、リセット処理を実行する。即ち、ステータス保持部３６０に対してリセット信号を供給する。これにより、ステータス保持部３６０が保持するステータスがクリアされる。
【００７０】
図７は、電源制御部３４０におけるラッチングリレーのオン／オフ処理の手順を示すフローチャートである。
【００７１】
図７に示すように、ラッチングリレーがオフの待機状態においては、ステップＳ４１において、リレーオン／オフ部３４４が、操作信号入力部３４１、タイマー信号入力部３４２、充電池電圧監視部３４３等からラッチングリレーのリレーオンを指示するオン信号の入力の待ち受け処理を行う。そして、この待ち受け処理において、オン信号を入力すると（ステップＳ４１：ＹＥＳ）、続くステップＳ４２において、ラッチングリレー３１ｂのスイッチをオンする処理を実行する。
【００７２】
その後、ステップＳ４３及びステップＳ４４において、電源制御回路３４では、内部回路が保持しているステータスをクリアするリセット処理を実行することなく、リレーオン／オフ部３４４によるラッチングリレーのオフ条件の成立、即ち、テレビマイコン４１や充電池電圧監視部３４３からラッチングリレーのリレーオフを指示する電源オフコマンドやオフ信号の入力待ち処理を行う。
【００７３】
そして、上記待ち受け処理において、ラッチングリレーのオフ条件が成立した場合、即ち、操作信号入力部３４１、タイマー信号入力部３４２、充電池電圧監視部３４３等からオフ信号を入力した場合（ステップＳ４４：ＹＥＳ）、続くステップＳ４５において、リレーオン／オフ部３４４が、ラッチングリレー３１ｂのスイッチをオフする処理を実行する。
【００７４】
即ち、上記説明してきた実施形態によれば、蓄電池３３ｂが完全放電状態においてスイッチ部３１が主電源５０に接続された場合や、スイッチ部３１と主電源５０との接続が解除されて蓄電池３３ｂが完全放電状態になる場合などの電源制御回路３４に供給される電圧が動作保証範囲外の電圧である場合にのみ電源制御回路３４のリセット処理を行うように構成したため、電源制御回路３４に動作保証範囲内の電圧が供給されている場合には、スイッチ部３１のラッチングリレー３１ｂがオンされたとしても電源制御回路３４のリセット処理を行わないことから、常に電源制御回路３４のステータス保持部３６０がステータスを保持することができる。
【００７５】
また、それにより、ステータスがクリアされたことでテレビマイコン４１などの上位の制御回路（制御モジュール）がステータスに基づいた処理制御を行うことができない、などの従来の不都合を解消することができる。
【００７６】
以上、例示的な実施形態に基づいて本発明を説明したが、本発明は上記した実施形態により限定されるものではなく、特許請求の範囲の記載により表される技術的思想の範囲内において種々の変更、改変を行うことが可能である。
【００７７】
例えば、上記した実施形態では、リセット閾値として、電源制御回路３４の動作保証電圧の最低電圧値（例：２．７Ｖ）と同一の値（例：２．７Ｖ）を設定した場合について説明したが、これ以外にも、リセット閾値として、最低電圧値（例：２．７Ｖ）より若干上の値（例：２．８Ｖ）又は若干下の値（例：２．６Ｖ）などの、最低電圧値からプラスマイナス数百ｍＶの範囲内の任意の電圧値を設定するようにしても良い。
【００７８】
また、上述した以外にも、初期状態に使用するリセット閾値としては、待機状態に使用するリセット閾値とは異なる値を別に設定するようにしても良い。例えば、待機状態に使用するリセット閾値に電源制御回路３４の動作保証電圧の最低電圧値と同一の「２．７Ｖ」が設定されている場合に、初期状態に使用するリセット閾値として上記「２．７Ｖ」より下の値を設定するようにしても良い。例えば、初期状態に使用するリセット閾値として、図３（ａ）に示すような電源制御回路３４の内部回路の動作電圧値「１．５Ｖ」を設定するようにしても良い。
【００７９】
また、上記した実施形態では、充電閾値として、電源制御回路３４の動作保証電圧の最低電圧値（例：２．７Ｖ）より若干上の値（例：２．８Ｖ）を設定した場合について説明したが、これ以外にも、充電閾値として、最低電圧値（例：２．７Ｖ）以下の値を設定するようにしても良い。
【００８０】
また、上記した実施形態では、電源制御回路３４と、制御信号受信部３５と、タイマー３６とをそれぞれ個別に設けるような形態について説明したが、これ以外にも、例えば、それら電源制御回路３４、制御信号受信部３５、タイマー３６等を一つのＬＳＩで実現することも可能である。
【００８１】
また、上記した実施形態では、電源制御回路が実装される電子機器として、テレビジョン受信機を例にした場合について説明したが、これ以外にも、例えば、録画装置やＤＶＤプレーヤ等の他の電子機器に適用することも可能である。
【００８２】
その他、上記した実施形態におけるテレビジョン受信機などの電子機器及び電源制御回路の構成及び機能構成などは単なる例として記載したものであり、本発明はこれらにより限定されない。
【符号の説明】
【００８３】
１  テレビジョンシステム
１０  テレビジョン受信機（電子機器）
３０  電源制御システム
３１  スイッチ部（スイッチ手段）
３１ａ  復旧スイッチ
３１ｂ  ラッチングリレー
３２  電源回路
３３  待機電源
３３ａ  充電器
３３ｂ  蓄電池（蓄電手段）
４０  内部負荷部
４１  テレビマイコン
４２  映像表示部
３４  電源制御回路（電源制御モジュール）
３４０  電源制御部
３４１  操作信号入力部
３４２  タイマー信号入力部
３４３  充電池電圧監視部
３４３ａ  閾値記憶部
３４３ｂ  比較判定部
３４４  リレーオン／オフ部
３５０  リセット制御部
３６０  ステータス保持部（記憶手段）
３５１  電圧判定部
３５１ａ  リセット閾値記憶部
３５１ｂ  比較判定部
３５２  リセット実行部
３５  制御信号受信部
３６  タイマー
２０  リモコン装置
５０  主電源（家庭用のコンセントなどの商用電源）
【図１】
2011250465.tif 000003
【図２】
2011250465.tif 000004
【図３】
2011250465.tif 000005
【図４】
2011250465.tif 000006
【図５】
2011250465.tif 000007
【図６】
2011250465.tif 000008
【図７】
2011250465.tif 000009